(57)【要約】【課題】  工作物または建造物が風力、地震等の外力によって移動しないための最小の固定装置と工法を提供する。【解決手段】  工作物または建造物の固定装置24は、工作物等の下部に固定され地盤に接するベース25とそれを貫通するアースアンカー1とによって構成され、アースアンカー1は、支圧体3に圧力をかけ軸材２の緊張力を保持するためのナット26、ナット26の下に位置する支圧板48、軸材2、軸材2下部に設けたヒンジ14、支圧体3、軸材2と支圧体3をヒンジ接合し回転軸を兼ねるボルト4とで構成され、軸材2と支圧体3を、ボルト4でヒンジ接合し、ヒンジ14下端部に回転止め13を設け、アースアンカー1を地中に貫入し引き上げれば支圧体3に働く回転モーメントによって支圧体3が開くように造り、アースアンカー1によりベース25を地盤に固定することを特徴とする。【選択図】図１
2013092024.tif 000002
【特許請求の範囲】
【請求項１】
工作物または建造物の地盤２０への固定装置２４において、
固定装置２４は、工作物または建造物の下部３７Ｂに固定され地盤に接するベース２５と、ベース２５を貫通する１本または複数のアースアンカー１によって構成され、
アースアンカー１は、支圧体３に圧力をかけ軸材２の緊張力を保持するためのナット２６、ナット２６の下に位置する支圧板４８、軸材２、軸材２下部に設けたヒンジ１４、支圧体３、軸材２と支圧体３をヒンジ接合し回転軸を兼ねるボルト４とで構成され、
軸材２の上部に、雄ねじ５と、軸材２頂部を打ち叩いても雄ねじ５の頂部を痛めず、軸材２を、スパナ等を用いて９０度回転するための軸材２の端部のカット６をして加工した平面視多角形を設け、
アースアンカー１は、ヒンジ１４を用いて軸材２と支圧体３をボルト４でヒンジ接合し、支圧体３の内側に板状の逆回転止め１２を設けヒンジ１４上端部に当接させ、
または、ヒンジ１４の横端部を平坦にして突起をつくった逆回転止１２を設けことによって支圧体３を閉じて貫入する時支圧体下端部９と軸材２の芯１０を一致させ、
ヒンジ１４の下端部を平坦にして突起をつくった回転止め１３を設けることによって、支圧体３が開いた時支圧体３の回転を止めるようにし、アースアンカー１を地中に貫入し引き上げれば、支圧体３に働く回転モーメントによって支圧体３が開くようにつくり、
前記アースアンカー１によりベース２５を地盤に固定することによって、
工作物または建造物を地盤に固定することを特徴とする工作物または建造物の固定装置。
【請求項２】
請求項１記載の工作物または建造物の固定装置２４を用いて、
アースアンカー１の頂部を打つことによって、または、プレボーリングすることによって、アースアンカー１を所定の深さまで地中に貫入し、
軸材２に、ベース２５に開けられた孔２７を通してベース２５を地盤上に置き、
または、ベース２５に開けられた孔２７を通してアースアンカー１を所定の深さまで地中に貫入し、軸材の芯１０を軸にしてアースアンカー１を９０度回転して、平面視貫入時地中にできた穴と一致しないように支圧体３の全部または一部を避け、
ナット２６を締め付けてアースアンカー１を引き上げ、支圧体３を開き支圧体３に圧力をかけることによって、
または、機器を用いてアースアンカー１を引き上げ、支圧体３を開き、ナット２６を締め付けて支圧体３に圧力をかけることによってベース２５を地盤に固定し、
ベース２５及びアースアンカー１を撤去移設する時は、
軸材２の頂部を打つことによって支圧体３を閉じ、９０度貫入時とは逆に回転し、貫入時にできた地盤の穴を通してアースアンカー１を引き抜き、  
ベース２５及びアースアンカー１を撤去移設することを特徴とする工作物または建造物の固定の工法。
【請求項３】
土手などで土が崩れるのを防止するために傾斜に沿って敷設した板状の土止ブロック４１と、土止ブロック４１を貫通する１本または複数のアースアンカー１によって構成される固定装置であって、
アースアンカー１は、支圧体３に圧力をかけ軸材２の緊張力を保持するためのナット２６、ナット２６の下に位置する支圧板４８、軸材２、軸材２下部に設けたヒンジ１４、支圧体３、軸材２と支圧体３をヒンジ接合し回転軸を兼ねるボルト４とで構成され、
軸材２の上部に、雄ねじ５と、軸材２頂部を打ち叩いても雄ねじ５の頂部を痛めず、軸材２を、スパナ等を用いて９０度回転するための軸材２の端部のカット６をして加工した平面視多角形を設け、
アースアンカー１は、ヒンジ１４を用いて軸材２と支圧体３をボルト４でヒンジ接合し、支圧体３の内側に板状の逆回転止め１２を設けヒンジ１４上端部に当接させ、
または、ヒンジ１４の横端部を平坦にして突起をつくった逆回転止１２を設けことによって支圧体３を閉じて貫入する時支圧体下端部９と軸材２の芯１０を一致させ、
ヒンジ１４の下端部を平坦にして突起をつくった回転止め１３を設けることによって、支圧体３が開いた時支圧体３の回転を止めるようにし、アースアンカー１を地中に貫入し引き上げれば、支圧体３に働く回転モーメントによって支圧体３が開くようにつくり、
アースアンカー１により土止ブロック４１を土手などの斜面３９に固定することによって、土砂崩れ防止の土止をすることを特徴とする工作物または建造物の固定装置。
【請求項４】
請求項３記載の工作物または建造物の固定装置を用いて、
アースアンカー１の頂部を打つことによって、または、プレボーリングすることによって、アースアンカー１を土手などの斜面３９に貫入し、
板状の土止ブロック４１を土手などの斜面３９上に、土止ブロック４１の孔にアースアンカー１の軸材２を通して等高線状に平行または格子状に置き、
または、土止ブロック４１を土手などの斜面３９上に、等高線状に平行または格子状に置き、アースアンカー１を土止ブロック４１の孔に通して貫入し、
軸材の芯１０を軸にしてアースアンカー１を９０度回転して、平面視貫入時地中にできた穴と一致しないように支圧体３の全部または一部を避け、
ナット２６を締め付けてアースアンカー１を引き上げ、支圧体３を開き支圧体３に圧力をかけることによって、
または、機器を用いてアースアンカー１を引き上げ、支圧体３を開き、ナット２６を締め付けて支圧体３に圧力をかけることにより土止ブロック４１を土手などの斜面３９上に固定することによって、
土砂崩れ防止の土止をすることを特徴とする工作物または建造物の固定の工法。
【請求項５】
土手などで土が崩れるのを防止するために垂直に設けた板状の土留ブロック４３と、土留ブロック４３を貫通する１本または複数のアースアンカー１によって構成される固定装置であって、
アースアンカー１は、支圧体３に圧力をかけ軸材２の緊張力を保持するためのナット２６、ナット２６の下に位置する支圧板４８、軸材２、軸材２下部に設けたヒンジ１４、支圧体３、軸材２と支圧体３をヒンジ接合し回転軸を兼ねるボルト４とで構成され、
軸材２の上部に、雄ねじ５と、軸材２頂部を打ち叩いても雄ねじ５の頂部を痛めず、軸材２を、スパナ等を用いて９０度回転するための軸材２の端部のカット６をして加工した平面視多角形を設け、
アースアンカー１は、ヒンジ１４を用いて軸材２と支圧体３をボルト４でヒンジ接合し、支圧体３の内側に板状の逆回転止め１２を設けヒンジ１４上端部に当接させ、
または、ヒンジ１４の横端部を平坦にして突起をつくった逆回転止１２を設けことによって支圧体３を閉じて貫入する時支圧体下端部９と軸材２の芯１０を一致させ、
ヒンジ１４の下端部を平坦にして突起をつくった回転止め１３を設けることによって、支圧体３が開いた時支圧体３の回転を止めるようにし、アースアンカー１を地中に貫入し引き上げれば、支圧体３に働く回転モーメントによって支圧体３が開くようにつくり、
アースアンカー１により土留ブロック４３を、盛土を挟んで土手などの斜面３９に固定することによって、擁壁４４を造ることを特徴とする工作物または建造物の固定装置。
【請求項６】
請求項５記載の工作物または建造物の固定装置を用いて、
アースアンカー１の頂部を打つことによって、または、プレボーリングすることによって、アースアンカー１を土手などの斜面３９に貫入し、
土留ブロック４３を土手などの斜面３９の前に水平に積み、
土留ブロック４３の孔にアースアンカー１の軸材２を通し、
または、土留ブロック４３を土手などの斜面３９の前に水平に積み、
アースアンカー１を土留ブロック４３の孔に通して貫入し、
土留ブロック４３と土手などの斜面３９の間に盛土を行い、
軸材の芯１０を軸にしてアースアンカー１を９０度回転して、平面視貫入時地中にできた穴と一致しないように支圧体３の全部または一部を避け、
ナット２６を締め付けてアースアンカー１を引き上げ、支圧体３を開き支圧体３に圧力をかけることによって、
または、機器を用いてアースアンカー１を引き上げ、支圧体３を開き、ナット２６を締め付けて支圧体３に圧力をかけることにより土留ブロック４３を、盛土を挟んで土手などの斜面３９に固定することによって、
擁壁４４を造ることを特徴とする工作物または建造物の固定の工法。
【発明の詳細な説明】
【技術分野】
【０００１】
本発明は、回転支圧体付きアースアンカーを用いた工作物または建造物の固定装置と工法に関するものである。
【背景技術】
【０００２】
工作物、建造物が風力、地震力等の外力によって転倒、移動しないようにコンクリート基礎によって重力式的に地盤に固定することが、従来の工作物、建造物の地盤に固定する方法である。
工作物等を地盤に連結するため、回転支圧体付きアースアンカーとその工法の技術を提案した。（特許文献１参照）
【先行技術文献】
【特許文献】
【０００３】
【特許文献１】特許第４７５２０４６号
【発明の概要】
【発明が解決しようとする課題】
【０００４】
２０１１年  ３月１１日の東日本大震災による原子力発電所の事故によって、さらなる自然エネルギーの利用が望まれるようになった。我が国の休田地、耕作放棄地に太陽光電池を設置すれば、原発４０基に相当する電力を得られるという試算も出されている。
従来太陽光パネルの架台を地上に設ける場合、コンクリート基礎によって重力式的に地盤に設置されてきた。しかし、太陽光パネルの架台を、コンクリート基礎によって重力式的に地盤に固定するよりも安価なアースアンカーを用いて地盤に固定した方がコスト安であると想像できる。また、太陽光電池を休田地、耕作放棄地または砂漠などに設置した場合、太陽光電池を容易に撤去移設できることが望ましい。その意味からも、重力式基礎に頼るよりも、容易に引き抜けて再利用できる回転支圧体付きアースアンカーを用いて太陽光パネルの架台を地盤に固定することが望ましい。アースアンカーにＳＵＳ３０４などの材料を用いることによって必要十分な耐久性と強度を得ることができる。
特許文献１の技術で、地上の工作物を地盤に連結する技術を提案した。しかし、工作物または建造物をどのように地盤に固定するのか示されなかった。
工作物、建造物を地盤に経済的に固定することによって、基礎を小さくすることができ、基礎工事費を縮減できる。なお、特許文献１の後改良した「回転支圧体付きアースアンカーとその工法」を先出願している（特願２０１１―２３６１９１  参照）。
【課題を解決するための手段】
【０００５】
工作物または建造物の地盤への固定装置２４において、
固定装置２４は、工作物または建造物の下部に固定され地盤に接するベース２５と、ベース２５を貫通する１本または複数のアースアンカー１によって構成され、
アースアンカー１は、軸材２、軸材２下部に設けたヒンジ１４、支圧体３、軸材２と支圧体３をヒンジ接合し回転軸を兼ねるボルト４とアースアンカー１とベース２５を地盤に固定するためのナット２６とによって構成され、
軸材２の上部には、回転軸より上部にある支圧体３の長さ以上の長さのある雄ねじ５と、軸材２頂部を打ち叩いても雄ねじ５の頂部を痛めず、軸材２を、スパナ等を用いて９０度回転するための軸材２の端部のカット６をして加工した平面視多角形を設け、
アースアンカー１は、ヒンジ１４を用いて軸材２と支圧体３をボルト４でヒンジ接合し、支圧体３の内側に板状の逆回転止め１２を設けヒンジ１４上端部に当接させ、
または、ヒンジ１４の横端部を平坦にして突起をつくった逆回転止１２を設けことによって支圧体３を閉じて貫入する時支圧体下端部９と軸材２の芯１０を一致させ、
ヒンジ１４の下端部を平坦にして突起をつくった回転止め１３を設けることによって、支圧体３が開いた時支圧体３の回転を止めるようにし、アースアンカー１を地中に貫入し引き上げれば、支圧体３に働く回転モーメントによって支圧体３が開くようにつくり、
アースアンカー１によりベース２５を地盤に固定することによって、
工作物または建造物を地盤に固定することを特徴とする工作物または建造物の固定装置である。
【０００６】
請求項１記載の工作物または建造物の固定装置２４を用いて、
アースアンカー１の頂部を打つことによって、または、プレボーリングすることによって、アースアンカー１を所定の深さまで地中に貫入し、
軸材２に、ベース２５に開けられた孔２７を通してベース２５を地盤上に置き、
または、ベース２５に開けられた孔２７を通してアースアンカー１を所定の深さまで地中に貫入し、
軸材の芯１０を軸にしてアースアンカー１を９０度回転して、平面視貫入時地中にできた穴から支圧体３の全部または一部を避け、
ナット２６を締め付けてアースアンカー１を引き上げ、支圧体３を開き支圧体３に圧力をかけることによって、
または、機器を用いてアースアンカー１を引き上げ、支圧体３を開き、ナット２６を締め付けて支圧体３に圧力をかけることによってベース２５を地盤に固定し、
ベース２５及びアースアンカー１を撤去移設する時は、
軸材２の頂部を打つことによって支圧体３を閉じ、９０度貫入時とは逆に回転し、貫入時にできた地盤の穴を通してアースアンカー１を引き抜き、
ベース２５及びアースアンカー１を撤去移設することを特徴とする工作物または建造物の固定の工法である。
【０００７】
アースアンカー１を土手または山の斜面３９に貫入し、
前記ベース２５の替わりに土止ブロック４１を用いて、
土止ブロック４１を土手または山の斜面３９上に、土止ブロック４１の孔にアースアンカー１の軸材２を通して等高線状に平行または格子状に置き、
アースアンカー１とナット２６により土止ブロック４１を土手または山の斜面３９上に固定することによって、
土砂崩れ防止の土止をすることを特徴とする工作物または建造物の固定の工法である。
【０００８】
アースアンカー１を土手または山の斜面３９に貫入し、
前記ベース２５の替わりに土留ブロック４３を用いて、
土留ブロック４３を土手または山の斜面３９の前に水平に積み、
土留ブロック４３の孔にアースアンカー１の軸材２を通し、
土留ブロック４３と土手または山の斜面３９の間に盛土を行い、
アースアンカー１とナット２６により土留ブロック４３を、盛土を挟んで土手または山の斜面３９に固定することによって、
擁壁４４を造ることを特徴とする工作物または建造物の固定の工法である。
【発明の効果】
【０００９】
本発明は、地上のあらゆる工作物、建造物を地盤に固定しうるものである。太陽光パネルの架台のような比較的小規模な構造物を休耕田などに設置するのであれば、軸材の径６〜９ｍｍのアースアンカーを人力で打ち込めば良く、ベース（基礎）も人力で設置可能である。風力発電塔の設置であれば、ドリルを用いてプレボーリングの後、太径のアースアンカーを貫入して、梃子、チエンブロックまたはクレーンを用いて引き上げ、支圧体を開くことが可能である。ベースは、部分円形状のものを、クレーンなどを用いてつないでいけば良い。住宅等の基礎にも適用可能である。
【図面の簡単な説明】
【００１０】
【図１】図１は本発明の工作物または建造物の固定装置２４の実施例を示し、図１の（ａ）は固定装置２４の上部の断面図を、図１の（ｂ）は図１の（ａ）の平面図を、図１の（ｃ）は固定装置２４の下部に位置するアースアンカー１の下部の断面図を示す。
【図２】図２は本発明の工作物２３Ａの固定装置２４の実施例の断面図である。
【図３】図３は本発明の工作物または建造物の固定装置２４の別な実施例を示し、図３の（ａ）は工作物２３Ａを地盤に固定する実施例の断面図で、図３の（ｂ）は図３の（ａ）のＡ矢視図である。
【図４】図４は本発明の工作物または建造物２３の固定装置２４の別な実施例で、建造物２３の固定装置２４の実施例を示す断面図である。
【図５】図５は本発明の工作物または建造物２３の固定の工法の別な実施例で、土止に用いた実施例である。図５の（ａ）（ｂ）は断面図、図５（ｃ）は図５の（ｂ）の正面図である。
【図６】図６は本発明の工作物または建造物２３の固定の工法の別な実施例で、擁壁に用いた実施例である。図６の（ａ）、（ｂ）、（ｃ）は、それぞれ断面図で、施工順に並べている。
【図７】図７はアースアンカー１の軸材２のジョイント４５と擁壁４４の詳細を示す実施例で、図７の（ａ）は図６（ｂ）のＩ部の拡大断面図、図７の（ｂ）は図７の（ａ）の正面図、図７の（ｃ）は図６の（ｃ）のＪ部拡大断面図である。
【発明を実施するための形態】
【００１１】
図１は本発明の工作物または建造物の固定装置２４の実施例を示し、図１の（ａ）は固定装置２４の上部の断面図を示し、図１の（ｂ）は図１の（ａ）の平面図を示し、図１の（ｃ）は固定装置２４の下部に位置するアースアンカー１の下部の断面図を示す。図２は工作物２３Ａの固定装置２４の実施例の断面図である。
工作物または建造物の地盤２０への固定装置２４において、
固定装置２４は、工作物または建造物の下部３７Ｂに固定され地盤に接するベース２５と、ベース２５を貫通する１本または複数のアースアンカー１によって構成され、
アースアンカー１は、支圧体３に圧力をかけ軸材２の緊張力を保持するためのナット２６、ナット２６の下に位置する支圧板４８、軸材２、軸材２下部に設けたヒンジ１４、支圧体３、軸材２と支圧体３をヒンジ接合し回転軸を兼ねるボルト４とで構成され、
軸材２の上部に、雄ねじ５と、軸材２頂部を打ち叩いても雄ねじ５の頂部を痛めず、軸材２を、スパナ等を用いて９０度回転するための軸材２の端部のカット６をして加工した平面視多角形を設け、
アースアンカー１は、ヒンジ１４を用いて軸材２と支圧体３をボルト４でヒンジ接合し、支圧体３の内側に板状の逆回転止め１２を設けヒンジ１４上端部に当接させ、
または、ヒンジ１４の横端部を平坦にして突起をつくった逆回転止１２を設けことによって支圧体３を閉じて貫入する時支圧体下端部９と軸材２の芯１０を一致させ、
ヒンジ１４の下端部を平坦にして突起をつくった回転止め１３を設けることによって、支圧体３が開いた時支圧体３の回転を止めるようにし、アースアンカー１を地中に貫入し引き上げれば、支圧体３に働く回転モーメントによって支圧体３が開くようにつくり、
前記アースアンカー１によりベース２５を地盤に固定することによって、
工作物または建造物を地盤に固定することを特徴とする工作物または建造物の固定装置である。
ベース２５の形状は、立方形、円柱形、円錐台形などで良く、材料は強度と耐久性のあるコンクリート、鋼製などであればよい。図２では、１本のアースアンカー１によってベース２５が地盤２０に固定され、さらに工作物２３Ａとベース２５が固定されているが、ベース２５の固定のために複数本のアースアンカー１を用いて、ベース２５と工作物２３Ａとはボルトで取り付けまたは一体加工であっても良い。アースアンカー１のヒンジ１４、支圧体３廻りの詳細については、先出願の２０１１―２３６１９１の明細書に記載している。軸材２頂部の四角形加工は、六角形加工または八角形加工であっても良い。
工作物または建造物の横部にベース２５に相当するものを取り付ける、または、孔をあけて、孔にアースアンカー１の軸材２を通して工作物または建造物を固定することもできる。
【００１２】
次に工作物または建造物の固定の工法について記載する。図１、図２参照。
前記工作物または建造物の固定装置２４を用いて、
アースアンカー１の頂部を打つことによって、または、プレボーリングすることによって、アースアンカー１を所定の深さまで地中に貫入し、
軸材２に、ベース２５に開けられた孔２７を通してベース２５を地盤上に置く。
または、ベース２５に開けられた孔２７を通してアースアンカー１を所定の深さまで地中に貫入する。
雄ねじカット６部にスパナをあてるなどして、軸材の芯１０を軸にしてアースアンカー１を９０度回転して、平面視貫入時地中にできた穴と一致しないように支圧体３の全部または一部を避け、ナット２６を締め付けてアースアンカー１を引き上げ、支圧体３を開き支圧体３に圧力をかけることによってベース２５を地盤に固定する。
または、機器を用いてアースアンカー１を引き上げ、支圧体３を開き、ナット２６を締め付けて支圧体３に圧力をかけることによってベース２５を地盤に固定する。
ベース２５及びアースアンカー１を撤去移設する時は、
軸材２の頂部を打つことによって支圧体３を閉じ、９０度貫入時とは逆に回転し、貫入時にできた地盤の穴を通してアースアンカー１を引き抜き、
ベース２５及びアースアンカー１を撤去移設することを特徴とする工作物または建造物の固定の工法である。アースアンカー１のナット２６を締め付けることによって支圧体３を開くためには、アースアンカー１の軸材２上部の雄ねじ５の長さは、アースアンカー１を、回転軸より上部にある支圧体３の長さ以上に引き上げるために、回転軸より上部にある支圧体３の長さ以上必要である。プレボーリングしてアースアンカー１を貫入する場合は、アースアンカー１の頂部を打つ必要が無いので、頂部のカット６を無くし、多角形の加工もやめてスパナなどでなく別の方法で９０度回転しても良い。
【００１３】
図３は本発明の工作物または建造物の固定装置２４の別な実施例を示し、図３の（ａ）は工作物２３Ａを地盤に固定する実施例の断面図で、図３の（ｂ）は図３の（ａ）のＡ矢視図である。固定装置２４は、３本以上（図面では４本）のアースアンカー１とベース２５によって構成される。３本以上のアースアンカー１を地盤２０に貫入し、ベース２５を置きまたは現場施工し、その上に工作物２３Ａの独立柱２８を置き、ボルトナット２６を締め付けてアースアンカー１を引き上げ、支圧体３を開き工作物２３Ａを地盤に固定する。または、ベース２５を置き、その上に独立柱２８の柱脚２９を置き、柱脚２９のベースプレート３０Ｂの孔とベース２５の孔２７を通してアースアンカー１を貫入しても良い。太陽光パネル２２の替わりに照明器具、案内板などを取り付けても良い。
図４は、固定装置２４を用いて土台３７とベース２５を地盤２０上に固定し、土台３７の上に建造物（図面では住宅）２３を構築した実施例である。
【００１４】
図５は本発明の工作物または建造物２３の固定の装置と工法の別な実施例で、土手などで土が崩れるのを防止するための土止に用いた実施例である。図５の（ａ）（ｂ）は断面図、図５（ｃ）は図５の（ｂ）の正面図である。
アースアンカー１を土手または山の斜面３９に貫入し（図５の（ａ）参照）、
前記ベース２５の替わりに土止ブロック４１を用いて（図５の（ｂ）参照）、
板状の土止ブロック４１を土手または山の斜面３９上に、土止ブロック４１の孔にアースアンカー１の軸材２を通して等高線状に平行または格子状に置き（図５の（ｂ）、（ｃ）参照）、または、土止ブロック４１を土手などの斜面３９上に、等高線状に平行または格子状に置き、アースアンカー１を土止ブロック４１の孔に通して貫入し、
アースアンカー１により、土手などで土が崩れるのを防止するために傾斜に沿って敷設した板状の土止ブロック４１を土手または山の斜面３９上に固定することによって、土砂崩れ防止の土止をすることを特徴とする。図５の（ｂ）、（ｃ）では、格子状に並べた土止４１の間に太陽光パネル２２を配置した実施例を示している。
【００１５】
図６は本発明の工作物または建造物２３の固定の装置と工法の別な実施例で、土手などで土が崩れるのを防止するための擁壁に用いた実施例である。図６の（ａ）、（ｂ）、（ｃ）は、それぞれ断面図で、施工順に並べている。
アースアンカー１を土手または山の斜面３９に貫入し（図６の（ａ）参照）、
前記ベース２５の替わりに土留ブロック４３を用いて、
土留ブロック４３を土手または山の斜面３９の前に水平に積み、
土留ブロック４３の孔にアースアンカー１の軸材２を通し、
または、土留ブロック４３を土手などの斜面３９の前に水平に積み、
アースアンカー１を土留ブロック４３の孔に通して貫入し、
土留ブロック４３と土手または山の斜面３９の間に盛土を行い（図６の（ａ）、（ｂ）参照）、アースアンカー１により、土手などで山が崩れるのを防止するために垂直に設けた板状の土留ブロック４３を、盛土を挟んで土手または山の斜面３９に固定することによって、擁壁４４を造る（図６の（ｃ）参照）ことを特徴とする。
図７はアースアンカー１の軸材２のジョイント４５と擁壁４４の詳細を示す実施例で、図７の（ａ）は図６（ｂ）のＩ部の拡大断面図、図７の（ｂ）は図７の（ａ）の正面図、図７の（ｃ）は図６の（ｃ）のＪ部拡大断面図である。
図７の（ａ）、（ｂ）は、ジョイント４５の実施例である。ジョイント４５は、軸材２の外形管と、第２の軸材４６の外形管をヒンジで接続したものである。擁壁用土留４３に第２の軸材４６を通すためのボルト孔４２の位置とアースアンカー１の軸材２の頂部の位置の誤差に対応するためにヒンジ接合にしている。中央部の第２のヒンジ４７を無くし、１本の軸材２の外形管の両端に雌ねじを切り、軸材２とねじ接合し、ナット５０で締め付けても良い。地盤を所定の深さまでプレボーリングして、アースアンカー１の軸材２と第２の軸材４６をジョイント４５でつなぐことによって、アースアンカー１の軸材の長さを長くしてアースアンカー１をより深く貫入することができる。
【符号の説明】
【００１６】
１      アースアンカー          
２      軸材        
３      支圧体
４      ボルト
５      雄ねじ
６      端部のカット
７      四角形加工
９      支圧体下端部
１０    軸材の芯
１２    逆回転止め
１３    回転止め
１４    ヒンジ
１５    土止カバー
２０    地盤
２２    太陽光パネル
２３    建造物
２３Ａ  工作物
２４    固定装置
２５    ベース
２６    ナット
２７、４２    孔
２８    独立柱
２９    柱脚
３０Ｂ  ベースプレート
３７    土台
３７Ａ  ベースレール
３７Ｂ  工作物または建造物の下部
３９    土手または山の斜面
４０    プレボーリング
４１    土止ブロック
４３    土留ブロック
４４    擁壁
４５    ジョイント
４６    第２の軸材
４７    第２のヒンジ
４８    支圧板
４９    リブプレート
５０    ナット
５１    台座
【図１】
2013092024.tif 000003
【図２】
2013092024.tif 000004
【図３】
2013092024.tif 000005
【図４】
2013092024.tif 000006
【図５】
2013092024.tif 000007
【図６】
2013092024.tif 000008
【図７】
2013092024.tif 000009